(57)【要約】【課題】無線基地局装置と移動局間の信号の送受信に影響を及ぼすことなく、また、無線基地局装置と移動局との通信に使用される無線方式以外の別の付帯設備を必要としないＩＰ伝送路に接続された無線基地局装置の周波数調整が自動的に行われる周波数調整システムを提供することを目的とする。【解決手段】基地局制御装置と、監視卓と、ＩＰ伝送路に接続された一の無線基地局装置と、ＡＴＭ伝送路に接続された他の無線基地局装置と、を備え、前記他の無線基地局装置が、クロック信号を含む送信信号を送信するクロック送信手段を有し、前記一の無線基地局装置が、前記クロック送信手段が送信したクロック信号を含む送信信号を受信するクロック受信手段と、前記受信手段によって受信した前記クロック信号を用いて自身の周波数調整を行う周波数調整手段と、を有することを特徴とする。【選択図】図１
2010041402.tif 000002
【特許請求の範囲】
【請求項１】
ＩＰ伝送路に接続された無線基地局装置において、
ＡＴＭ伝送路に接続された他の無線基地局装置からのクロック信号を含む送信信号を受信するクロック受信手段と、
前記受信手段によって受信した前記クロック信号を用いて自身の周波数調整を行う周波数調整手段と、
を備えたことを特徴とする無線基地局装置。
【請求項２】
移動局装置との送受信に用いる送信無線処理部および受信無線処理部をダイバーシチ構成にて備え、前記クロック受信手段が、ダイバーシチ構成の前記受信無線処理部の一方を用いる
ことを特徴とする請求項１に記載の無線基地局装置。
【請求項３】
基地局制御装置と、
監視卓と、
ＩＰ伝送路に接続された一の無線基地局装置と、
ＡＴＭ伝送路に接続された他の無線基地局装置と、
を備え、
前記他の無線基地局装置が、クロック信号を含む送信信号を送信するクロック送信手段を有し、
前記一の無線基地局装置が、前記クロック送信手段が送信したクロック信号を含む送信信号を受信するクロック受信手段と、前記受信手段によって受信した前記クロック信号を用いて自身の周波数調整を行う周波数調整手段と、を有する
ことを特徴とする無線基地局装置の周波数調整システム。
【請求項４】
前記クロック送信手段が前記ＡＴＭ伝送路から得たクロック信号を送信することを特徴とする請求項３に記載の無線基地局装置の周波数調整システム。
【請求項５】
前記他の無線基地局装置が、移動局装置との送受信に用いる送信無線処理部および受信無線処理部をダイバーシチ構成にて備え、前記クロック送信手段が、ダイバーシチ構成の前記送信無線処理部の一方を用い、
前記一の無線基地局装置が、移動局装置との送受信に用いる送信無線処理部および受信無線処理部をダイバーシチ構成にて備え、前記クロック受信手段が、ダイバーシチ構成の前記受信無線処理部の一方を用いる
ことを特徴とする請求項３または４に記載の無線基地局装置の周波数調整システム。
【請求項６】
保守員が操作する前記監視卓による指示に基づき、前記一の無線基地局装置の周波数調整が行われる
ことを特徴とする請求項３、４または５に記載の無線基地局装置の周波数調整システム。
【発明の詳細な説明】
【技術分野】
【０００１】
本発明は無線基地局装置に関し、特にＩＰ伝送路に接続された無線基地局装置に関する。
【背景技術】
【０００２】
図３は、従来の移動通信システムにおける無線基地局装置の周波数調整システムを示すブロック図である。
【０００３】
この移動通信システムは、図示した構成として、監視卓２０、基地局制御装置１０および無線基地局装置１０１を有している。
【０００４】
基地局制御装置１０と無線基地局装置１０１の伝送路終端部３０１とは、ＡＴＭ伝送路３０で接続されており、データの送受信を行い、ＡＴＭ伝送路３０からのベースバンド信号を送信ベースバンド処理部３０３へ送信し、受信ベースバンド信号処理部３０４からのベースバンド信号をＡＴＭ伝送路３０へ送信している。
【０００５】
また伝送路終端部３０１に含まれるクロック抽出回路３１１は、ＡＴＭ伝送路３０を介して得た受信信号から高安定度のクロック信号を抽出して、位相比較制御部３１２へ出力する。
【０００６】
制御部３０２は、伝送路終端部３０１を経由して基地局制御装置１０や、その先に接続されている監視卓２０と通信を行い、送信ベースバンド処理部３０３に接続されたダイバーシチ構成の一方の送信無線処理部３０６より周波数調整用信号を送信するように制御する。
【０００７】
送信ベースバンド信号処理部３０３は、伝送路終端部３０１からのベースバンド信号を送信ダイバーシチ信号に変換し送信無線処理部３０５と送信無線処理部３０６に送信し、制御部３０２からの制御により送信無線処理部３０６に送信するあらかじめ設定された送信ダイバーシチ信号を生成する。
【０００８】
送信無線処理部３０５、３０６は、送信ベースバンド信号処理部３０３からの送信ダイバーシチ信号を送信無線信号に変換増幅しサーキュレータ３０７、３０８に送信する。
【０００９】
サーキュレータ３０７、３０８は、送信無線処理部３０５、３０６からの送信無線信号を受信し、アンテナ５０１、５０２に送信し、かつ、アンテナ５０１、５０２から受信無線信号を受信無線処理部３０９、３１０に送信する。
【００１０】
アンテナ５０１、５０２は、サーキュレータ３０７、３０８からの送信無線信号を移動局へ送信し、かつ、移動局からの受信無線信号をサーキュレータ３０７、３０８に送信する。
【００１１】
受信無線処理部３０９、３１０は、サーキュレータ３０７、３０８からの受信無線信号を増幅し、受信ダイバーシチ信号に復調し、受信ベースバンド信号処理部３０４へ送信する。
【００１２】
受信ベースバンド信号処理部３０４は、受信した受信ダイバーシチ信号をベースバンド信号として、伝送路終端部３０１へ送信している。
【００１３】
位相比較制御部３１２は、クロック抽出回路３１１からのクロック信号と基準信号発生器３１３のクロック信号との位相比較を行い、クロック抽出回路３１１のクロック信号に同期するように基準信号発生器３１３の発振周波数の制御を行う。
【００１４】
基準信号発生器３１３は、位相比較制御部３１２から発振周波数の調整が可能となっている。送信ベースバンド処理部３０３、受信ベースバンド信号処理部３０４、送信無線処理部３０５、３０６、受信無線処理部３０９、３１０は、基準信号発生器３１３の基準信号に同期して動作する。
【００１５】
図３において、無線基地局装置１０１は、ＡＴＭ伝送路３０を介して、基地局制御装置１０と接続されており、このＡＴＭ伝送路３０は、一般的に、非常に安定した周波数精度を有している。
【００１６】
このようなＡＴＭ伝送路３０を用いる無線基地局装置１０１では、このＡＴＭ伝送路３０に接続された、伝送路終端部３０１に含まれるクロック抽出回路３１１で抽出されたクロック信号と、基準信号発生器３１３の基準信号を位相比較制御部３１２にて位相比較し、周波数を同期させるように基準信号発生器３１３を制御している。従って、無線基地局装置の周波数調整が自動的に行われることになる。
【００１７】
ところが、近年の移動通信システムにおいては無線基地局装置が、ＡＴＭ回線ではなくＩＰ伝送路として利用するシステムがあり、このＩＰ伝送路からは安定した周波数精度のクロック信号を抽出することは不可能である。
【００１８】
従って、無線基地局装置内部に温度変化や経年変化の少ない高安定度の発振器を設ける必要があり、この高安定度の発振器を使用した場合においても、数年に一度の周波数調整を行うことが必要となり、無線基地局装置の周波数調整が自動的に行うことができない。
【００１９】
なお、特許文献１には、移動端末に高安定度基準信号発生器を接続することによって、基地局装置に高安定度基準信号発生器を直接接続する必要をなくした発明が開示されている。
【００２０】
【特許文献１】特開２００６−２９５２６３号公報
【発明の開示】
【発明が解決しようとする課題】
【００２１】
上述のように、近年の移動通信システムにおいては無線基地局装置が、ＡＴＭ回線ではなく、ＩＰ伝送路として利用するシステムがあり、このＩＰ伝送路からは安定した周波数精度のクロック信号を抽出することは不可能である。従って、無線基地局装置内部に温度変化や経年変化の少ない高安定度の発振器を設ける必要があり、この高安定度の発振器を使用した場合においても、数年に一度の周波数調整を行うことが必要となり、無線基地局装置の周波数調整を自動的に行うことができない。
【００２２】
また、特許文献１に記載の発明では、移動端末に高安定度基準信号発生器を接続する必要があり、新規に高安定度基準信号発生器が必要であるという問題があった。
【００２３】
本発明は上記の点にかんがみてなされたもので、ＡＴＭ伝送路に周波数同期した無線基地局装置のダイバーシチ構成の一方の送信無線処理部よりある一定の送信信号を送信し、ＩＰ伝送路に接続された無線基地局装置のダイバーシチ構成の一方の受信無線処理部によりこの送信信号を受信し、受信ベースバンド信号処理部のクロック抽出回路で抽出されたクロック信号と、基準信号発生器の基準信号を位相比較制御部にて位相比較し、周波数を同期させるように基準信号発生器を制御することにより、無線基地局装置と移動局間の信号の送受信に影響を及ぼすことなく、また、無線基地局装置と移動局との通信に使用される無線方式以外の別の付帯設備を必要としないＩＰ伝送路に接続された無線基地局装置の周波数調整が自動的に行われる周波数調整システムを提供することを目的とする。
【課題を解決するための手段】
【００２４】
本発明は、移動通信システムにおける無線基地局装置の周波数調整システムにおいて、無線基地局装置および移動局との間の無線伝送信号を安定して送受信するために無線基地局装置の送信機および受信機はダイバーシチ構成となっておりそれぞれ２系統の送信機および受信機を具備し、ＡＴＭ（Ａｓｙｎｃｈｒｏｎｏｕｓ  Ｔｒａｎｓｆｅｒ  Ｍｏｄｅ）伝送路に周波数同期した無線基地局装置のダイバーシチ構成の一方の送信無線処理部よりある一定の送信信号を送信し、ＩＰ（Ｉｎｔｅｒｎｅｔ  Ｐｒｏｔｏｃｏｌ  ）伝送路に接続された無線基地局装置のダイバーシチ構成の一方の受信無線処理部によりこの送信信号を受信し、受信ベースバンド信号処理部のクロック抽出回路で抽出されたクロック信号と、基準信号発生器の基準信号を位相比較制御部にて位相比較し、周波数を同期させるように基準信号発生器を制御することにより、無線基地局装置と移動局間の信号の送受信に影響を及ぼすことなく、ＩＰ伝送路に接続された無線基地局装置の周波数調整が自動的に行われることを特徴としている。
【００２５】
本発明は、基地局制御装置と、監視卓と、ＩＰ伝送路に接続された一の無線基地局装置と、ＡＴＭ伝送路に接続された他の無線基地局装置と、を備え、前記他の無線基地局装置が、クロック信号を含む送信信号を送信するクロック送信手段を有し、前記一の無線基地局装置が、前記クロック送信手段が送信したクロック信号を含む送信信号を受信するクロック受信手段と、前記受信手段によって受信した前記クロック信号を用いて自身の周波数調整を行う周波数調整手段と、を有することを特徴とする。
【発明の効果】
【００２６】
本発明においては、以下に記載するような効果を奏する。
【００２７】
第１の効果は、ＡＴＭ伝送路に周波数同期した無線基地局装置のダイバーシチ構成の一方の送信無線処理部よりある一定の送信信号を送信し、ＩＰ伝送路に接続された無線基地局装置のダイバーシチ構成の一方の受信無線処理部によりこの送信信号を受信し、受信ベースバンド信号処理部のクロック抽出回路で抽出されたクロック信号と、基準信号発生器の基準信号を位相比較制御部にて位相比較し、周波数を同期させるように基準信号発生器を制御することにより、ＩＰ伝送路に接続された無線基地局装置の周波数調整が自動的に行われることである。
【００２８】
第２の効果は、ダイバーシチ構成の一方の送信無線処理部および受信無線処理部を使用することにより、無線基地局装置と移動局間の信号の送受信に影響を及ぼすことなく、ＩＰ伝送路に接続された無線基地局装置の周波数調整が自動的に行われることである。
【００２９】
第３の効果は、ダイバーシチ構成の一方の送信無線処理部および受信無線処理部を使用することにより、無線基地局装置と移動局との通信に使用される無線方式以外の別の付帯設備を必要としないことである。
【発明を実施するための最良の形態】
【００３０】
以下、本発明の実施の形態について図面を参照して詳細に説明する。
【００３１】
本発明は、移動通信システムにおける無線基地局装置の周波数調整システムにおいて、無線基地局装置および移動局との間の無線伝送信号を安定して送受信するために無線基地局装置の送信機および受信機はダイバーシチ構成となっておりそれぞれ２系統の送信機および受信機を具備し、ＡＴＭ（Ａｓｙｎｃｈｒｏｎｏｕｓ  Ｔｒａｎｓｆｅｒ  Ｍｏｄｅ）伝送路に周波数同期した無線基地局装置のダイバーシチ構成の一方の送信無線処理部よりある一定の送信信号を送信し、ＩＰ（Ｉｎｔｅｒｎｅｔ  Ｐｒｏｔｏｃｏｌ  ）伝送路に接続された無線基地局装置のダイバーシチ構成の一方の受信無線処理部によりこの送信信号を受信し、受信ベースバンド信号処理部のクロック抽出回路で抽出されたクロック信号と、基準信号発生器の基準信号を位相比較制御部にて位相比較し、周波数を同期させるように基準信号発生器を制御することにより、無線基地局装置と移動局間の信号の送受信に影響を及ぼすことなく、ＩＰ伝送路に接続された無線基地局装置の周波数調整が自動的に行われることを特徴としている。
【実施例１】
【００３２】
＜＜構成の説明＞＞
図１は、本発明が適用される移動通信システムの構成の一例を示すブロック図である。
【００３３】
図１に示す移動通信システムは、複数の無線基地局装置１０１、１０２と、基地局制御装置１０とを含む。
【００３４】
また、図１に示すように、無線基地局装置１０１は基地局制御装置１０とＡＴＭ伝送路３０で接続され、無線基地局装置１０２は基地局制御装置１０とＩＰ伝送路４０で接続されている。
【００３５】
更に、基地局制御装置１０は、公衆回線網５０および、監視員が監視する監視卓２０に接続されている。
【００３６】
無線基地局装置１０１、１０２は、移動局装置である無線端末２０１、２０２と無線で接続されており、音声信号またはデータ信号をやりとり等の通信を行う。
【００３７】
図２は、無線基地局装置１０１、１０２の無線ゾーン構成を示しており、無線基地局装置１０１は無線ゾーン７０１を形成しており無線周波数を送信し、無線基地局装置１０２は無線ゾーン７０２を形成しており無線周波数を送信し、それぞれの無線基地局装置の送信無線信号はお互いの無線基地局装置で受信することが可能である。
【００３８】
図３は、無線基地局装置１０１の詳細なブロック図を示している。
【００３９】
基地局制御装置１０と無線基地局装置１０１の伝送路終端部３０１とはＡＴＭ伝送路３０で接続されており、データの送受信を行い、ＡＴＭ伝送路３０からのベースバンド信号を送信ベースバンド処理部３０３へ送信し、受信ベースバンド信号処理部３０４からのベースバンド信号をＡＴＭ伝送路３０へ送信している。
【００４０】
また、伝送路終端部３０１に含まれるクロック抽出回路３１１は、ＡＴＭ伝送路３０の受信信号から高安定度のクロック信号を抽出して、位相比較制御部３１２へ出力する。
【００４１】
制御部３０２は、伝送路終端部３０１を経由して基地局制御装置１０や、その先に接続されている監視卓２０と通信を行い、送信ベースバンド処理部３０３に接続されたダイバーシチ構成の一方の送信無線処理部３０６より周波数調整用信号を送信するように制御する。
【００４２】
送信ベースバンド信号処理部３０３は、伝送路終端部３０１からのベースバンド信号を送信ダイバーシチ信号に変換し送信無線処理部３０５と送信無線処理部３０６に送信し、制御部３０２からの制御により送信無線処理部３０６に送信するあらかじめ設定された送信ダイバーシチ信号を生成する。
【００４３】
送信無線処理部３０５、３０６は、送信ベースバンド信号処理部３０３からの送信ダイバーシチ信号を送信無線信号に変換増幅しサーキュレータ３０７、３０８に送信する。
【００４４】
サーキュレータ３０７、３０８は、送信無線処理部３０５、３０６からの送信無線信号を受信し、アンテナ５０１、５０２に送信し、かつ、アンテナ５０１、５０２から受信無線信号を受信無線処理部３０９、３１０に送信する。
【００４５】
アンテナ５０１、５０２は、サーキュレータ３０７、３０８からの送信無線信号を移動局へ送信し、かつ、移動局からの受信無線信号をサーキュレータ３０７、３０８に送信する。
【００４６】
受信無線処理部３０９、３１０は、サーキュレータ３０７、３０８からの受信無線信号を増幅し、受信ダイバーシチ信号に復調し、受信ベースバンド信号処理部３０４へ送信する。
【００４７】
受信ベースバンド信号処理部３０４は、受信した受信ダイバーシチ信号をベースバンド信号として、伝送路終端部３０１へ送信している。
【００４８】
位相比較制御部３１２は、クロック抽出回路３１１からのクロック信号と基準信号発生器３１３のクロック信号との位相比較を行い、クロック抽出回路３１１のクロック信号に同期するように基準信号発生器３１３の発振周波数の制御を行う。
【００４９】
基準信号発生器３１３は、位相比較制御部３１２から発振周波数の調整が可能となっている。
【００５０】
送信ベースバンド処理部３０３、受信ベースバンド信号処理部３０４、送信無線処理部３０５、３０６、受信無線処理部３０９、３１０は、基準信号発生器３１３の基準信号に同期して動作する。
【００５１】
図４は、無線基地局装置１０２の詳細なブロック図を示している。
【００５２】
基地局制御装置１０と無線基地局装置１０２の伝送路終端部４０１とはＩＰ伝送路４０で接続されており、データの送受信を行い、ＩＰ伝送路４０からのベースバンド信号を送信ベースバンド処理部４０３へ送信し、受信ベースバンド信号処理部４０４からのベースバンド信号をＩＰ伝送路４０へ送信している。
【００５３】
制御部４０２は、伝送路終端部４０１を経由して基地局制御装置１０や、その先に接続されている監視卓２０と通信を行い、受信無線処理部４１０に対して無線基地局装置１０２の周波数調整用信号を受信し、受信ベースバンド信号に復調するように制御し、受信ベースバンド処理部４０４に接続された受信無線処理部４１０からの受信ベースバンド信号からクロック信号を抽出するように制御する。
【００５４】
送信ベースバンド信号処理部４０３は、伝送路終端部４０１からのベースバンド信号を送信ダイバーシチ信号に変換し送信無線処理部４０５と送信無線処理部４０６に送信する。
【００５５】
送信無線処理部４０５、４０６は、送信ベースバンド信号処理部４０３からの送信ダイバーシチ信号を送信無線信号に変換増幅しサーキュレータ４０７、４０８に送信する。
【００５６】
サーキュレータ４０７、４０８は、送信無線処理部４０５、４０６からの送信無線信号を受信し、アンテナ６０１、６０２に送信し、かつ、アンテナ６０１、６０２から受信無線信号を受信無線処理部４０９、４１０に送信する。
【００５７】
アンテナ６０１、６０２は、サーキュレータ４０７、４０８からの送信無線信号を移動局へ送信し、かつ、移動局からの受信無線信号をサーキュレータ４０７、４０８に送信する。
【００５８】
受信無線処理部４０９、４１０は、サーキュレータ４０７、４０８からの受信無線信号を増幅し、受信ダイバーシチ信号に復調し、受信ベースバンド信号処理部４０４へ送信する。
【００５９】
受信ベースバンド信号処理部４０４は、受信した受信ダイバーシチ信号をベースバンド信号として、伝送路終端部４０１へ送信し、制御部４０２からの制御により、あらかじめ設定された受信無線処理部４１０からの受信ベースバンド信号からクロック信号を抽出するようにクロック抽出回路４１１を制御する。
【００６０】
クロック抽出回路４１１は、受信ベースバンド信号からクロック信号を抽出し、位相比較制御部４１２へクロック信号を送信する。
【００６１】
位相比較制御部４１２は、クロック抽出回路４１１からのクロック信号と基準信号発生器４１３のクロック信号との位相比較を行い、クロック抽出回路４１１のクロック信号に同期するように基準信号発生器４１３の発振周波数の制御を行う。
【００６２】
基準信号発生器４１３は、位相比較制御部４１２から発振周波数の調整が可能となっている。
【００６３】
送信ベースバンド処理部４０３、受信ベースバンド信号処理部４０４、送信無線処理部４０５、４０６、受信無線処理部４０９、４１０は、基準信号発生器４１３の基準信号に同期して動作する。
【００６４】
図５は、通常状態の無線基地局装置１０１、１０２と移動局２０１、２０２との通信状態を示したものである。
【００６５】
図５において、無線基地局装置１０１は移動局２０１と通信しており、アンテナ５０１はその送信無線信号および受信無線信号の送受を行い、アンテナ５０２も同様である。無線基地局装置１０２と移動局２０２との通信も、無線基地局装置１０１と移動局２０１との通信と同様である。
【００６６】
図６は、無線基地局装置１０２の周波数調整時の無線基地局装置１０１、１０２と移動局２０１、２０２との通信状態を示したものである。
【００６７】
無線基地局装置１０１は、移動局２０１と通信しており、アンテナ５０１はその送信無線信号および受信無線信号の送受を行う。また、アンテナ５０２は、移動局２０１からの受信無線信号を受信し、無線基地局装置１０２への周波数調整用信号を送信している。
【００６８】
無線基地局装置１０２は、移動局２０２と通信しており、アンテナ６０１はその送信無線信号および受信無線信号の送受を行う。また、アンテナ６０２は、移動局２０２への送信無線信号を送信し、無線基地局装置１０１からの周波数調整用信号を受信している。
【００６９】
なお、上記実施例では、無線基地局装置１０１の送信無線処理部３０６にて無線基地局装置１０２の受信無線処理部４１０で受信できるような送信周波数制御としても良い。
＜＜動作の説明＞＞
次に本実施例の動作について説明する。
【００７０】
図２に示すように、無線基地局装置１０１は無線ゾーン７０１を形成しており無線周波数を送信し、無線基地局装置１０２は無線ゾーン７０２を形成しており無線周波数を送信し、それぞれの無線基地局装置の送信無線信号はお互いの無線基地局装置で受信することが可能である。無線基地局装置１０２の周波数調整を行う場合、無線基地局装置１０１の周波数調整用の送信無線信号を無線基地局装置１０２において受信することによって行われる。
【００７１】
また、無線基地局装置１０１の無線ゾーン７０１が小さく、無線基地局装置１０２にて無線基地局装置１０１からの周波数調整用の送信無線信号が受信できない場合には、周波数調整時のみ無線基地局装置１０１の周波数調整用の送信無線信号の送信レベルを増加させることも可能である。
【００７２】
次に無線基地局装置１０２の周波数調整方法について図３、図４を用いて説明する。
【００７３】
まず、図３において、無線基地局装置１０１は、伝送路終端部３０１に含まれるクロック抽出回路３１１にて、基地局制御装置１０と接続されたＡＴＭ伝送路３０の信号から高安定度のクロック信号を抽出し、位相比較制御部３１２にて、クロック抽出回路３１１からのクロック信号と基準信号発生器３１３のクロック信号との位相比較を行い、クロック抽出回路３１１のクロック信号に同期するように基準信号発生器３１３の発振周波数の制御を行う。
【００７４】
このように無線基地局装置１０１では自動的にＡＴＭ伝送路３０の信号から高安定のクロック信号を抽出し、自動的に基準信号発生器３１３の発振周波数の調整が可能であり、送信無線信号に含まれるクロック信号の精度も高くなる。
【００７５】
ＩＰ伝送路４０に接続された無線基地局装置１０２の周波数調整が必要な場合、保守者は監視制御卓２０から無線基地局装置１０１の制御部３０２に指示を出す。この指示により制御部３０２は送信ベースバンド信号処理部３０３から送信無線処理部３０６に対して周波数調整用のベースバンド信号を送信し、送信無線処理部３０６から送信無線信号として、サーキュレータ３０８、アンテナ５０２から送信される。
【００７６】
一方、図４において、監視卓２０からの指示により無線基地局装置１０２の制御部４０２は、受信無線処理部４１０に対して、無線基地局装置１０１からの周波数調整用の送信無線信号を受信できるように制御する。
【００７７】
周波数調整用の送信無線信号を受信した受信無線処理部４１０は、受信ベースバンド信号処理部４０４に受信ベースバンド信号を送信する。
【００７８】
制御部４０２は、更に受信ベースバンド信号処理部４０４に対してクロック抽出回路４１１にて受信ベースバンド信号からクロック信号を抽出するように制御する。
【００７９】
クロック抽出回路４１１は、受信ベースバンド信号から高安定のクロック信号を抽出し、位相比較制御部４１２にて、クロック抽出回路４１１からのクロック信号と基準信号発生器４１３のクロック信号との位相比較を行い、クロック抽出回路４１１のクロック信号に同期するように基準信号発生器４１３の発振周波数の制御を行う。
【００８０】
これにより、自動的に基準信号発生器４１３の発振周波数の調整が可能となり、周波数調整が終了した段階で位相比較制御部４１２の基準信号発生器４１３の制御を一定とする。
【００８１】
また、無線基地局装置１０２の周波数調整時においても、図５の状態から図６の状態となるだけであり、そのときに通信中の無線基地局装置１０１、１０２と移動局２０１、２０２との通信が途絶えることはない。
【実施例２】
【００８２】
本発明の他の実施例として、その基本的構成は上記の通りであるが、監視卓２０からの周波数調整制御についてさらに工夫している。
【００８３】
実施例１では、監視卓２０からの制御においては、ＩＰ伝送路４０に接続された無線基地局装置１０２の基準信号発生器４１３に温度変化や経年変化の少ない高安定度の発振器を設ける必要があり、この高安定度の発振器を使用した場合においても、数年に一度の周波数調整を行うことが必要となり、一定時間間隔以内で周波数調整を行なわなければならない。また、周波数調整を行う場合は保守者が監視卓２０を操作する必要があり、一定時間間隔での周波数調整の実施を管理する必要がある。また、高安定度の発信器の性能ばらつきにより周波数調整の間隔にばらつきがある。
【００８４】
この実施例２においては、ＡＴＭ伝送路３０のクロック信号に同期した無線基地局装置１０１からの周波数調整用信号からクロック信号を抽出したＩＰ伝送路４０に接続された無線基地局装置１０２にて、基準信号発生器４１３の基準信号と抽出したクロック信号との位相差を位相比較制御部４１２にて測定し、監視卓２０に報告する。これにより、現在の基準信号の周波数のずれを把握することが可能となり、周波数調整の頻度を正確に見極めることが可能となる。
【図面の簡単な説明】
【００８５】
【図１】本発明が適用される移動通信システムの構成の一例を示すブロック図である。
【図２】無線基地局装置１０１、１０２の無線ゾーン構成を示す図である。
【図３】無線基地局装置１０１の詳細なブロック図である。
【図４】無線基地局装置１０２の詳細なブロック図である。
【図５】通常状態の無線基地局装置１０１、１０２と移動局２０１、２０２との通信状態を示す図である。
【図６】無線基地局装置１０２の周波数調整時の無線基地局装置１０１、１０２と移動局２０１、２０２との通信状態を示す図である。
【符号の説明】
【００８６】
１０  基地局制御装置
２０  監視卓
３０  ＡＴＭ伝送路
４０  ＩＰ伝送路
５０  公衆回線網
１０１  無線基地局装置
３０１  伝送路終端部
３０２  制御部
３０３  送信ベースバンド信号処理部
３０４  受信ベースバンド信号処理部
３０５、３０６  送信無線処理部
３０７、３０８  サーキュレータ
３０９、３１０  受信無線処理部
３１１  クロック抽出回路
３１２  位相比較制御部
３１３  基準信号発生器
５０１、５０２  アンテナ
１０２無線基地局装置
４０１  伝送路終端部
４０２  制御部
４０３  送信ベースバンド信号処理部
４０４  受信ベースバンド信号処理部
４０５、４０６  送信無線処理部
４０７、４０８  サーキュレータ
４０９、４１０  受信無線処理部
４１１  クロック抽出回路
４１２  位相比較制御部
４１３  基準信号発生器
６０１、６０２  アンテナ
２０１  無線端末
２０２  無線端末
【図１】
2010041402.tif 000003
【図２】
2010041402.tif 000004
【図３】
2010041402.tif 000005
【図４】
2010041402.tif 000006
【図５】
2010041402.tif 000007
【図６】
2010041402.tif 000008